(57)【特許請求の範囲】
【請求項１】
身体に装着する上着において、
該上着の後身頃の表面側は伸縮性と通気性を有し縦横方向に伸縮可能な生地で形成されて、その所定箇所に開口部が設けられ、
該上着の後身頃の身体面側は裏生地が縫着されて、表面側と身体面側を囲む空間に収納部が形成され、
前記開口部から、外袋の内部に粒子径が０．５〜１０ｍｍである多孔質弾性体粒子の中実の発泡体を所定量充填した弾性を有する袋状体が、前記収納部に収納されていることを特徴とする姿勢保持用衣服。
【請求項２】
身体に装着する上着において、
該上着の後身頃の表面側は伸縮性と通気性を有し縦横方向に伸縮可能な生地で形成されて、その所定箇所に開口部が設けられ、
該上着の後身頃の身体面側は裏生地が縫着されて、表面側と身体面側を囲む空間に収納部が形成され、
前記開口部から、外袋がガスバリヤ性を有する生地で形成されており、内部の空気量を調節できる空気調節弁が外袋に設けられている袋状体が収納されている姿勢保持用衣服。
【請求項３】
前記袋状体は、使用用途又は装着する人体の体位に応じて、その寸法、形状、収納数、収納位置又は構造が異なることを特徴とする請求項１または２に記載の姿勢保持用衣服。
【発明の詳細な説明】
【技術分野】
【０００１】  本発明は、身体の姿勢保持が必要とされる者（以下、患者という）に対する姿勢保持用衣服に関し、より詳しくは、患者の個々の体位に応じて、必要な姿勢を保持することができる姿勢保持用衣服に関するものである。
【背景技術】
【０００２】  現在、医療分野において患者の体位を一定に保ったまま手術を長時間に渡って行う場合には、砂袋、発泡体ブロック及び抑制帯等の手術用固定具、陰圧式固定具等が使用されている。この内、陰圧式固定具は気密袋中にプラスチックビーズ等の球状体を詰めたものであり、気密袋中に空気を満たしてベッドや手術台の上に敷き、その上に患者を載せ球状体を移動させて必要な体位をとり、気密袋中の空気を真空ポンプで除き陰圧にすることによって球状体が動くのを防止し、一定の体位を保持するものである（特許文献１、２参照）。また、円背の患者を仰臥位で歯科治療する際、治療台と上体との間にできる隙間に、クッションやタオルを巻いたものを差し込み、体位を安定させている。【０００３】  一方、福祉分野においても人体の体位の固定や支持などが必要とされており、例えば、嚥下障害者が食物摂取を行う際、仰臥位と側臥位の中間位を保ち、且つ、上体を起こした姿勢を安定化させるとき、嚥下障害者の頭部から上体にかけて、ベッドや車椅子と、人体の間に、クッション、タオル或いは枕などを差し込み、体位を安定させている。
【先行技術文献】
【特許文献】
【０００４】
【特許文献１】  特許第３２０９３３２号公報
【特許文献２】  特開２０００−５１２５５号公報
【発明の概要】
【発明が解決しようとする課題】
【０００５】  前記砂袋、発泡体ブロック及び抑制帯等の手術用固定具等を用いた固定具は、形状や大きさの異なるいくつかの物を組み合わせて使用しなければならない。また、どの様な状況にも対応できるようにするためにも、種々の形状や大きさのものを準備しておかねばならない等の問題がある。さらに、患者に適用するには熟練を必要とするが、長時間に亘り固定や保持をしようとすると、患者が動くことにより緩みを生じて体位が変ってしまうという問題がある。【０００６】  また、特許文献１に示す陰圧式固定具は、比較的容易に固定や保持はできるが、真空ポンプを使用して保型しなければならず、患者が前記陰圧式固定具の保持部分から身体を離すと型が崩れてしまうので、再度保持し直さなければならないという問題がある。【０００７】  特許文献２に示す体位保持具材は、真空ポンプを使用せずに患者の適用部位の形状に沿うように保型できるものである。しかしながら、これを使用する場合には、使用する車椅子や椅子又はベッド等（以下、車椅子等という）に患者が載った状態で、該患者の適用部位に合致した体位保持具を、その都度成型しなければならず、しかもその患者にしか適用できないないという問題がある。【０００８】  また、この体位保持具材の成型は、粒状体と水硬化性樹脂の混合物に水を加え、全体をよく水に馴染ませて余分な水を切り、前記車椅子等の上に剥離性の良いシート等を敷き、その上に前記混合物を載せ、さらに、その上に前記した剥離性の良いシート等を被せて、適用部位に水硬化性樹脂が付着しないようにする。この上に患者の適用部位を載せて当てると、その部位に応じて前記粒状体が移動しながら適用部位の体表面に沿うようになり、併せて側方から前記混合物を体に沿って寄せるようにすれば、水硬化性樹脂も次第に硬化して患部の適用部位に合致した体位保持具を得ることができるものである。ところが、この体位保持具材は、前記水硬化性樹脂を硬化させるのに３０分程度必要であり、その間、患者は身体部位を動かすことが禁じられ、精神的及び身体的苦痛を伴ない、実用的ではないという問題がある。
【課題を解決するための手段】
【０００９】  本発明は、上記課題を解決するためになされたものであり、上着の所定箇所に弾性を有する袋状体を装着することで、嚥下、円背、無呼吸症候群、褥瘡（床ずれ）等、患者の個々の症状や体位に応じて、必要な姿勢を保持することができる姿勢保持用衣服を提供することを目的としている。【００１０】  本発明の請求項１に係る姿勢保持用衣服は、上着（袖のない上着で、ベスト、チョッキと称されている）の後身頃の表面側は伸縮性と通気性を有し縦横方向に伸縮可能な生地で形成されて、その所定箇所に開口部が設けられている。また、上着の後身頃の身体面側は裏生地が縫着されて、表面側と身体面側を囲む空間に収納部が形成されている。この収納部に前記後身頃の表面側に設けられた開口部から弾性を有する袋状体が収納されている。【００１１】  このように構成すれば、前記姿勢保持用衣服を患者に着せると、患者の適用部位に沿って前記袋状体が変形し、適用部位の体表面に沿った形状が保持される。また、患者が動いた場合でも、前記袋状体は変形した状態を保持したまま患者の動きに追随するので、患者の処置に必要な姿勢を長時間保持することができる。なお、処置終了後は、患者から前記姿勢保持用衣服を脱着させると、前記袋状体は初期形状に復帰するので、同一処置を行う患者に簡単に装着させることができる。【００１２】また、本発明の請求項１に係る姿勢保持用衣服は、前記袋状体は、伸縮性と通気性を有し縦横方向に伸縮可能な材料で形成された外袋の内部に、多孔質弾性体粒子が所定量充填されている。多孔質弾性体粒子は、粒子径を１ｍｍ〜５ｍｍの発泡体としている。このように構成すれば、前記と同様の作用効果を得ることができる。【００１３】また、本発明の請求項２に係る姿勢保持用衣服は、前記袋状体は、ガスバリア性を有する材料で形成された外袋の内部に、空気を所定量充填している。このように構成すれば、前記と同様の作用効果を得ることができる。【００１４】また、本発明の請求項２に係る姿勢保持用衣服は、前記袋状体は、空気量を調節できる空気調節弁が外袋にけられている。このように構成すれば、前記姿勢保持用衣服を患者に装着させると、患者の適用部位に沿って前記袋状体が変形し、袋状体内部の空気が空気調節弁（通常は作動状態であり、外圧がかかれば袋状体内部の空気が排出される）から外部に排出され、前記袋状体は変形した状態が保持される。これにより、患者の処置に必要な姿勢を長時間保持することができる。また、患者が動いた場合でも、前記袋状体は変形した状態を保持したまま患者の動きに追随するので、患者の処置に必要な姿勢を長時間保持することができる。なお、処置終了後は、患者から前記姿勢保持用衣服を脱着させ、前記空気調節弁を袋状体内部に空気が流入するように操作すると、該袋状体の内部に大気が流入して初期状態に復帰するので、同一処置を行う患者に簡単に装着させることができる。【００１５】  本発明の請求項３に係る姿勢保持用衣服は、前記袋状体は、使用用途又は装着する人体の体位に応じて、その寸法、形状、収納数、収納位置又は構造が異なっている。このように構成すれば、嚥下、円背、無呼吸症候群又は褥瘡等に対して、最適な姿勢保持用衣服を選択することができる���
【発明の効果】
【００１６】  本発明による前記姿勢保持用衣服によれば、この姿勢保持用衣服を患者に装着させると、患者の適用部位に沿って前記袋状体が変形し、適用部位の体表面に沿った形状となり保持される。これにより、患者の処置に必要な姿勢を長時間保持することができる。また、患者が動いた場合でも、前記袋状体は変形した状態を保持したまま患者の動きに追随するので、患者の処置に必要な姿勢を長時間保持することができる。なお、処置終了後は、患者から前記姿勢保持用衣服を脱着させると、前記袋状体は初期形状に復帰するので、同一処置を行う患者に簡単に装着させることができる。【００１７】  また、他の実施形態によれば、この姿勢保持用衣服を患者に装着させると、患者の適用部位に沿って前記袋状体が変形し、袋状体内部の空気が外部に排出され、前記袋状体は変形した状態が保持される。これにより、患者の処置に必要な姿勢を長時間保持することができる。また、患者が動いた場合でも、前記袋状体は変形した状態を保持したまま患者の動きに追随するので、患者の処置に必要な姿勢を長時間保持することができる。なお、処置終了後は、患者から前記姿勢保持用衣服を脱着させ、前記空気調節弁を操作すると袋状体の内部に大気が流入して初期状態に復帰するので、同一処置を行う患者に簡単に装着させることができる。
【図面の簡単な説明】
【００１８】
【図１】  本発明の実施形態の一例を示す姿勢保持用衣服の正面図である。
【図２】  本発明の実施形態の一例を示す姿勢保持用衣服の正面展開図である。
【図３】  本発明の実施形態の一例を示す姿勢保持用衣服の背面展開図である。
【図４】  本発明の実施形態の一例を示す袋状体の断面図であり、（ａ）は初期形状、（ｂ）は身体の部位が着接した状態を示したものである。
【図５】  本発明の他の実施形態を示す袋状体の断面図であり、（ａ）は空気を密封した初期形状、（ｂ）（ｂ）は身体の部位が着接した状態を示したものである。
【図６】  本発明の他の実施形態を示す空気調節弁が設けられた袋状体の断面図であり、（ａ）は空気を密封した初期形状、（ｂ）は身体の部位が着接した状態を示したものである。
【図７】  本発明の他の実施形態を示す姿勢保持用衣服の模式図である。
【図８】  本発明の他の実施形態を示す姿勢保持用衣服の模式図である。
【図９】  本発明の他の実施形態を示す姿勢保持用衣服の模式図である。
【発明を実施するための形態】
【００１９】  以下、本発明の実施形態について、図面に基づいて詳細に説明する。図１は本発明の実施形態の一例を示す姿勢保持用衣服の正面図、図２は正面展開図、図３は背面展開図である。なお、図２〜図３に示す姿勢保持用衣服１は、特に嚥下障害者（食べ物が飲み込み難くなることの自覚（嚥下困難）や、食事時のむせ（誤嚥））が椅子や車椅子で食事をする場合に適用できるものである。例えば、患者の側臥位を安定化させるために、身体の背中が着接する部分を非対称又は片側部分（右又は左）のみに袋状体を配置したものである。
【００２０】  図１から図３において、姿勢保持用衣服１は、身体に装着する上着（袖のない上着で、ベスト、チョッキと称されている形態）である。前記姿勢保持用衣服１は、後身頃表面側２は伸縮性と通気性を有し縦横方向に伸縮可能な生地、例えば、ポリウレタン繊維又はポリウレタン繊維を混紡した繊維であり、その所定箇所には線ファスナー（ジッパー、チャックなど）又は面ファスナー（ベルクロ、マジックテープ：登録商標）等で開閉する開口部２１が設けられている。
【００２１】  上着の後身頃身体面側３（内側）は通気性がある裏生地、例えば、メッシュ生地が縫着されて、表面側と身体面側を囲む空間に収納部３１が所定形状に画成されている。この収納部３１に前記後身頃表面側２に設けられた開口部２１から弾性を有する袋状体５が脱着自在に収納されている。
【００２２】  上着の前身頃表面側４は、通気性を有した生地が用いられており、撥水性や防汚性を有しておればより好ましい。また、前身頃表面側４には、左右の前身頃を展開閉するためのワンタッチバックルを用いた調整ベルト４１が上下２箇所に設けられている。前身頃身体面側６は通気性がある裏生地、例えば、メッシュ生地が縫着されている。
【００２３】  図４は、本発明の実施形態の一例を示す袋状体の断面図であり、（ａ）は初期形状、（ｂ）は身体の部位が着接７した状態を示したものである。図４において、袋状体５は、外袋５１と多孔質弾性体粒子５２より構成されている。前記外袋５１は伸縮性と通気性を有し縦横方向に伸縮可能な生地、例えば、ポリウレタン繊維又はポリウレタン繊維を混紡した繊維を用いている。この生地を２枚重畳し、内部に多孔質弾性体粒子５２を収容できる空間を設けて、その周縁部を縫製している。なお、外袋５１は、当初、多孔質弾性体粒子５２を入れるための開口部が設けられているが、多孔質弾性体粒子５２を外袋５１の内部に収容した後に、縫製して閉塞される。前記多孔質弾性体粒子５２は、粒子径を０．５〜１０ｍｍの中実の発泡体としており、より好ましくは粒子径が１ｍｍ〜５ｍｍである。粒子径が小さいと、流動性が不十分で底付が生じる恐れがあり、粒子径が大きいと外袋５１の外周面が凹凸状となり装着感が低下する。なお、前記多孔質弾性体粒子５２の粒子径又は外袋容積に対する充填率は、使用条件等により適宜変更が可能である。
【００２４】  図５は、本発明の他の実施形態を示す袋状体５ａの断面図であり、（ａ）は空気を密封した初期形状、（ｂ）は身体の部位が着接した状態を示したものである。前記袋状体５ａの外袋５１ａはガスバリア性を有し、身体の外形に沿って変形する柔軟性と、形状変化が可能な伸縮性を合わせてもつ合成樹脂シートが用いられている。該合成樹脂シートを２枚重畳し、内部に空気５５を収容できる空間を設けて、その周縁部をホットメルト等で加熱加圧して、シール５３することにより形成されている。
【００２５】  図６は、本発明の他の実施形態を示す袋状体５ａの断面図であり、（ａ）は空気を密封した初期形状、（ｂ）は身体の部位が着接した状態を示したものである。図６（ａ），（ｂ）に示すように、外袋５１ａの適宜位置には、該外袋５１ａの内部と外部を貫通する空気調節弁５４が取付けられている。この空気調節弁５４には逆止弁（図示しない）が取付けられており、身体の一部が着接７すると、患者の適用部位に沿って前記袋状体５ａが変形し、外袋５１ａ内部の空気５５が空気調節弁５４（通常は作動状態であり、外圧がかかれば袋状体内部の空気が排出される）から外部に排出され、前記袋状体５ａは変形した状態が保持される。患者から前記姿勢保持用衣服１を脱着させ、前記空気調節弁５４を外袋５１ａ内部に空気５５が流入するように操作すると、該外袋５１ａの内部に大気５５が流入して初期状態に復帰するので、同一処置を行う患者に簡単に装着させることができる。
【００２６】  図７〜図９は、本発明の他の実施形態を示す姿勢保持用衣服１の模式図である。図７は、円背（腰から背中まで丸くなっている）の患者への適用に適したものである。患者の仰臥位を安定化させるために、身体の後頭部から背上部が着接する部分に多孔質弾性体粒子を充填した袋状体５を配置したものである。
【００２７】  図８は、無呼吸症候群の患者への適用に適したものである。患者が仰向けで寝ると重力の関係で舌根部が下向きに下がり上気道を塞ぐ。そのため横向きに寝ると症状が良くなることがあるので、患者が仰臥位とならないようにさせるために、身体の背骨周辺が着接する部分に袋状体５を配置したものである。
【００２８】  図９は、褥瘡の患者への適用に適したものである。患者が床ずれしやすい仙骨部、肩甲骨部、大転子部、側胸部が着接する部分に空気調節弁５４を設けた袋状体５を配置したものである。なお、図９では、４箇所全てに袋状体５を設けているが、患者の症状に合わせて１箇所以上に取付けることが可能である。
【産業上の利用可能性】
【００２９】  本発明の姿勢保持用衣服は、患者の個々の体位に応じて、簡単、且つ迅速に必要な姿勢を長時間保持することができるため、福祉分野だけでなく、外科、整形外科及び歯科治療において広く適用することが可能である。
【符号の説明】
【００３０】１  姿勢保持用衣服
２  後身頃表面側
２１  開口部
３  後身頃身体面側（内側）
３１  収納部
４  前身頃表面側
４１  調整ベルト
５，５ａ  袋状体
５１、５１ａ  外袋
５２  多孔質弾性体
５３  シール
５４  空気調節弁
５５  空気
６  前身頃身体面側
７  着接
【図１】
0006418526.tif 000002
【図２】
0006418526.tif 000003
【図３】
0006418526.tif 000004
【図４】
0006418526.tif 000005
【図５】
0006418526.tif 000006
【図６】
0006418526.tif 000007
【図７】
0006418526.tif 000008
【図８】
0006418526.tif 000009
【図９】
0006418526.tif 000010